(57)【特許請求の範囲】
【請求項１】
音響事象のステレオ伝送のための２つの分離したオーディオ信号チャンネルを備えたオーディオ信号源(10)と、
２つのオーディオ信号チャンネルが導かれ、それらのオーディオ信号チャンネルによって供給されるオーディオ信号源からのオーディオ出力信号をそれぞれ２つのチャンネルの２つのオーディオ信号に分割して出力チャンネルに導く調整可能なフェーダ制御装置(11)と、このフェーダ制御装置(11)に後続して配置され、それぞれ後続する１つの信号チャンネルを有するＡ／Ｄ変換器を有するオーディオ信号のデジタル処理のための装置(13)とを具備している音響再生装置において、
同じ聴取区域のためのオーディオ信号を導く２つの出力チャンネルに入力が接続されている第１の加算器(12.1)と、
第１の加算器(12.1)に後続する信号路に設けられた第１のＡ／Ｄ変換器(14.1)と、
それぞれ異なる聴取区域のためのオーディオ信号を導くが同じオーディオチャンネルから生じる２つの出力チャンネルに入力がそれぞれ接続されている第２および第３の加算器(12.2, 12.3)と、
第２および第３の加算器(12.2, 12.3)中で形成された各複合信号がそれぞれ供給されるオーディオ信号に適した第２および第３のＡ／Ｄ変換器(14.2, 14.3)とを具備し、
前記第２および第３のＡ／Ｄ変換器(14.2, 14.3)に後続する各信号チャンネルがそれぞれ２以上の並列な信号チャンネルに分割されており、
さらに、それぞれの分割された並列な信号チャンネルの少なくとも２つにそれぞれ割当てられている乗算器（M1〜M4）と、
前記第２および第３の加算器(12.2, 12.3)において形成された複合信号が入力に供給され、出力が信号チャンネルに接続されている第４の加算器(12.4)と、
各加算器(12.1 〜12.3) が設けられているチャンネルに含まれている平均レベル値を決定する装置(17)と、
前記平均レベル値を決定する装置(17)に後続して信号路中に配置されている平滑化装置(18)と、
信号チャンネルが導かれ、それにより供給された信号からそれらの商を形成する除算装置(20)と、
除算装置(20)により形成されて信号チャンネルにより供給された商によって２つの係数（ＦH ，ＦV ）を決定する計算装置(21)とを具備し、
前記第１のＡ／Ｄ変換器(14.1)は第１の加算器(12.1)と乗算器（M1〜M4）との間の信号通路に配置されており、
前記係数（ＦH ，ＦV ）は異なった信号チャンネル中に位置する乗算器（M1〜M4）によってそれぞれ利用可能であることを特徴とする音響再生装置。
【請求項２】
平均レベル値を決定する各装置(17)および後続する平滑化装置(18)はそれぞれ第１および第４の加算器(12.1, 12.4)に関して対称的に配置されている請求項１記載の音響再生装置。
【請求項３】
Ａ／Ｄ変換器(14.1 〜14.3) は加算器(12.1 〜12.3) に直接接続されている請求項１または２記載の音響再生装置。
【請求項４】
平均レベル値を決定する装置(17)は第１の加算器(12.1)の前に接続されている請求項１記載の音響再生装置。
【請求項５】
平均レベル値を決定する装置(17)はＡ／Ｄ変換器(14.1 〜14.3) に後続して配置され、絶対値法にしたがって平均レベル値を決定するように構成されている請求項３記載の音響再生装置。
【請求項６】
しきい値装置(19)が除算装置(20)に先行して配置されている請求項１記載の音響再生装置。
【請求項７】
フェーダ制御装置(11)の出力とＡ／Ｄ変換器(14.1 〜14.3) の入力との間に配置されている部品はアダプタ(23)中に統合されている請求項１記載の音響再生装置。
【発明の詳細な説明】
【０００１】
【発明の属する技術分野】
本発明は、オーディオ信号源と、フェーダ制御装置と、それら２つの装置の後方に接続されてオーディオ信号をデジタル的処理する装置とを備えている音響再生装置におけるチャンネルを減少されるための手段に関する。
【０００２】
【従来の技術】
オーディオ信号源の後方に接続されたデジタルオーディオ信号プロセッサを備えた音響再生装置は従来の技術において知られており、ここで詳しく説明する必要はない。オーディオ信号源が音響事象のステレオ伝送のために２つに分離されたオーディオ信号チャンネルを含むものであり、フェーダ制御装置がオーディオ信号源の後に接続され、その２つの異なる出力チャンネルに音響チャンネル中のオーディオ出力信号を分配するならば、現在の技術ではデジタル処理にアクセス可能なステレオオーディオ信号を形成する２つの解決方法が存在する。
【０００３】
さらに詳細に説明する前に、フェーダ制御装置の機能について説明する。非常に簡単な形態では、これは調節可能な分圧器であり、各分圧器の全抵抗を調整して変化させることによって２つの個々の抵抗に分割し、それによって存在する全電圧を調節可能な個々の電圧に分割する。音響事象のステレオ伝送のために２つオーディオ信号チャンネルを含んでいるオーディオ信号およびその後に接続されたフェーダ制御装置において、調節可能な分圧器は各オーディオ信号チャンネルに対して設けられる。これら２つの分圧器は等しい大きさの全体の抵抗を有し、フェーダ制御装置の調節にしたがって各分圧器に対して等しい割合が各個々の抵抗に対して与えられるように互いに接続されている。もしも２つオーディオ信号チャンネルに存在するオーディオ出力信号がそのようなフェーダ制御装置を通過するならば、等しい振動を有する２つオーディオ信号が各オーディオ出力チャンネルから得られる。等しい振動を有するオーディオ信号の振幅は各個々の抵抗の比に応じて互いに同じまたは異なる大きさであることができる。そのようなフェーダ制御装置は例えば２つの前方スピーカおよび２つの後方スピーカの間で自動車中で２チャンネルの音響を分割するために使用される。すなわち、例えば２つの前方スピーカ間で聞かれる音はまた２つの他のスピーカ間でも聞くことができる。形態に応じてフェーダ制御装置はオーディオ信号源の集合化された部品、例えば自動車ラジオのような装置であってもよく、或いはオーディオ信号源から離れて、例えば自動車の中央コンソールに配置されることもできる。
【０００４】
もしも、オーディオ信号源がそのようなフェーダ制御装置を備えており、また、もしもフェーダ制御装置中の出力チャンネルの数に応じてオーディオ信号がオーディオ信号のデジタル処理のために装置に導かれるならば、４個の高品質の、すなわちオーディオ信号の処理に適したＡ／Ｄ変換器（アナログデジタル変換器）がオーディオ信号を導くために必要とされ、オーディオ信号はデジタルプロセッサに対してフェーダ制御装置によって「分割」される。さらに結果としてデジタル信号処理は４つのチャンネルで行われなければならない。
【０００５】
しかしながら、フェーダ制御装置は２つのスピーカ群（前方および後方スピーカ群）間で２チャンネル音響情報を分割する機能を有しているに過ぎないから、両方のオーディオ信号チャンネルに存在するオーディオ出力信号だけをデジタル信号処理を受けさせ、その後２つのスピーカ群に対して分割を実行することが好ましい。そのような構成はオーディオ信号の処理に適したＡ／Ｄ変換器が２個しか必要とされない利点を有するが、多数のオーディオ信号源に集積された種類のフェーダ制御装置を使用して音響情報を分配することができず、別々のフェーダ制御装置が使用されなければならない欠点がある。さらにオーディオ信号源の付近にデジタルオーディオ信号プロセッサのための空間が得られないことも多い。そのため多くの場合に長い接続線が別々のフェーダ制御装置とオーディオ信号のデジタル処理のための装置との間に必要とされ、分離されたフェーダ制御装置はオーディオ信号のデジタル処理のための装置から離れた恐らくオーディオ信号源の付近に配置されなければならない。
【０００６】
後者は両方の場合に適用され、フェーダ制御装置はすでに詳細に説明されたものであり、また調整に応じてオーディオ信号のデジタル処理のためのプロセッサ装置に直接影響する別の調整装置によってフェーダ制御装置の機能が行われる場合もある。
【０００７】
もしも、オーディオ信号源が集積されたフェーダ制御装置を備え、また、もしもデジタル信号処理が付加的なフェーダ制御装置を使用して２つのチャンネルで行われるならば、フェーダ制御装置の前段でデジタル装置によって処理されるオーディオ信号に対してオーディオ信号源に接続されたフェーダ制御装置の調整と無関係にオーディオ出力信号が２つのチャンネルで確実に得られるために付加的な手段が取られなければならない。サービスマンが変化されないオーディオ信号源中のフェーダ制御装置の調整を忘れる可能性は無視できないので、オーディオ信号源に接続されたフェーダ制御装置の調整に関係なく、オーディオ出力信号が得られたオーディオ信号源中に２以上の出力を生成することによってのみ実現できる。
【０００８】
【発明が解決しようとする課題】
それ故、本発明の目的は、従来の装置のスイッチングの要求を減少させ、しかも、同時に通常のフェーダ制御装置、すなわち電圧分圧器の原理により動作するフェーダ制御装置を使用する音響再生装置を提供することである。
【０００９】
【課題を解決するための手段】
この目的は、本発明の音響再生装置によって達成される。
本発明は、音響事象のステレオ伝送のための２つの分離したオーディオ信号チャンネルを備えたオーディオ信号源と、２つのオーディオ信号チャンネルが導かれ、それらのオーディオ信号チャンネルによって供給されるオーディオ信号源からのオーディオ出力信号をそれぞれ２つのチャンネルの２つのオーディオ信号に分割して出力チャンネルに導く調整可能なフェーダ制御装置と、このフェーダ制御装置に後続して配置され、それぞれ後続する１つの信号チャンネルを有する２個以上のＡ／Ｄ変換器を有するオーディオ信号のデジタル処理のための装置とを具備している音響再生装置において、
同じ聴取区域のためのオーディオ信号を導く２つの出力チャンネルに入力が接続されている第１の加算器と、第１の加算器に後続する信号路に設けられている第１のＡ／Ｄ変換器と、それぞれ異なる聴取区域のためのオーディオ信号を導くが同じオーディオチャンネルから生じる２つの出力チャンネルに入力がそれぞれ接続されている第２および第３の加算器と、第２および第３の加算器中で形成された各複合信号がそれぞれ供給されるオーディオ信号に適した第２および第３のＡ／Ｄ変換器とを備え、第２および第３のＡ／Ｄ変換器に後続する各信号チャンネルがそれぞれ２以上の並列な信号チャンネルに分割されており、さらに、それぞれの分割された並列な信号チャンネルの少なくとも２つにそれぞれ割当てられている乗算器と、第２および第３の加算器において形成された複合信号が入力に供給され、出力が信号チャンネルに接続されている第４の加算器と、各加算器が設けられているチャンネルに含まれている平均レベル値を決定する装置と、その平均レベル値を決定する装置に後続して信号路中に配置されている平滑化装置と、信号チャンネルが導かれてそれにより供給された信号からそれらの商を形成する除算装置と、除算装置により形成されて信号チャンネルにより供給された商によって２つの係数を決定する計算装置とを備え、第１のＡ／Ｄ変換器は第１の加算器と乗算器との間の信号通路に配置されており、前記係数は異なった信号チャンネル中に位置する乗算器によってそれぞれ利用可能であることを特徴とする。本発明の有効な形態は請求項２以下に記載されている。
【００１０】
音響再生装置が上記のような構成を有しているならば、２つの元の出力信号、すなわちオーディオ信号チャンネルのフェーダ制御装置の前段の信号が、この装置を使用してフェーダ制御装置のチャンネル中に存在するオーディオ信号を再構成し、さらに処理するために２チャンネル信号にそれらを導くことができるのみならず、高価な部品（オーディオ信号に適したＡ／Ｄ変換器等）を必要としないで異なった出力チャンネル、またはフェーダ制御装置の後方のすでに存在する出力チャンネルではなく、フェーダ制御装置とオーディオ信号のデジタル処理のための装置との間の接続ラインにおけるオーディオ出力信号の分配を決定することを可能にする。
【００１１】
この発明の効果は、異なった聴取区域（前方／後方）に対して通常のフェーダ制御装置によってすでに分配されたオーディオ出力信号が、異なった聴取区域に対するフェーダ制御装置中で調整された分配率の同時分離手段によって２つのチャンネルで本質的に処理されるオーディオ出力信号（Ｌ，Ｒ）を導くために使用されることができることである。
【００１２】
第１、第２、第３の各加算器がオーディオ信号チャンネル（ＴＫL ，ＴＫR ）中に存在する２つのオーディオ出力信号（Ｌ，Ｒ）のそれぞれを再構成するために設けられる。それらの中の２個の加算器のそれぞれはフェーダ制御装置の２つのそのような出力チャンネルに接続され、そこから異なった聴取区域（前方または後方）に送ることを意図しているが同じ信号チャンネルから発生する２つの信号が得られる。２個の加算器中で発生された各複合信号はそれぞれのオーディオ出力チャンネル（Ｌ，Ｒ）に振幅および振動が対応しており、オーディオ信号に適したＡ／Ｄ変換器に導かれ、それ故、デジタルチャンネル形式の信号処理を受けることができる。
【００１３】
第１の加算器はフェーダ制御装置における分配率の各調整値を決定するために設けられている。この第１の加算器の入力は２つの出力チャンネルに接続され、そこにおいて同じ聴取区域に送ることを意図しているが異なったオーディオ信号チャンネル（ＴＫL またはＴＫR ）から発生する１つのオーディオ信号（ＬV ，ＬH またはＲV ，ＲH ）を得ることができる。
【００１４】
もしも、第２、第３の加算器の後方において複合信号が第４の加算器に導かれるならば、フェーダ制御装置に存在する分配率は第１および第４の加算器の後方において複合信号の比率を除算装置により決定することができる。換言すれば除算により得られる商は２つの聴取区域（前方、後方）に送られる各オーディオ信号（Ｌ，Ｒ）の量を示す値である。そのためこの商は計算装置に送られ、この商から両方の聴取区域に分割される信号分配率を決定することができる。各商およびそれと相補型的な商はこの実施例では呼び出された係数であり、デジタル複合信号Ｓｕｍ２  ，Ｓｕｍ３  に影響を与えるために使用され、それはＡ／Ｄ変換後フェーダ制御装置における調整された分配率に関連して２つの信号チャンネル（ＳＫ２  ，ＳＫ３  ）中に存在する。そのためＡ／Ｄ変換後、これらの各信号チャンネル（ＳＫ２  ，ＳＫ３  ）が互いに並列な２以上の信号チャンネル（ＳＫ２．２／３  ，ＳＫ３．２／３  ）に分割されてそれぞれ乗算器に送られる。計算装置によって決定された２つの係数が例えばデータラインによって異なる信号チャンネルに位置する２つの乗算器で使用可能になれば、デジタルオーディオ信号は乗算器の後方で得られて、その分配率はフェーダ制御装置における調節された比率に対応する。
【００１５】
原理的に第４の加算器、除算装置、および計算装置が回路中に配置されることは重要なことではなく、係数がデジタル形態で各乗算器に対して利用可能にされることが確実になるに過ぎない。これは第２、第３の加算器の後方における複合信号がアナログ信号として第４の加算器に与えられ、そこからアナログ信号が第１の加算器の後方にある場合と同様に除算装置および計算装置に送られてそれからＡ／Ｄ変換が行われるようにすることもできる。
【００１６】
少なくとも第１および第４の加算器に接続された各チャンネルは、少なくとも１つの平均レベルを決定する装置を備え、これらの装置はそれに後続する信号チャンネル中に平滑化装置を備えており、請求項３に記載されているように、もしもＡ／Ｄ変換が第１乃至第３の加算器の直ぐ後で行われ、続いてデジタル形式で平均レベルの決定および平滑化が行われるならばさらに有効である。
【００１７】
請求項２に記載されているように、平均レベルを決定する各装置および後続する各平滑化装置が第１および第４の加算器に関して対称的に配置されているならば特に良好な結果が得られる。この対称的配置によって、異なったチャンネルのオーディオ信号が加算されたとき避けることのできない位相の問題が非常に軽減される効果が得られる。それはそうでなければ発生する除算後の分配率の再構成のための問題がもはや存在しないことと、複合信号が第１および第４の加算器の後方でそのレベルまで等しいことによるものである。対称的配置は２つの加算点（第１および第４の加算器中）を基準として平均レベル値を決定する全ての装置が各加算器の前または後のいずれかに位置される場合に行われる。
【００１８】
例えば１８０度位相の変位した音響信号が第１の加算器に送られた出力信号中に存在する時に生じる極端な位相の問題は、請求項４に記載された構成により避けることができる。すなわち、第１の加算器に導かれた各チャンネルは、平均レベル値を決定するために整流器の形態の装置を先行して設けられている。
【００１９】
平均レベル値の決定を行う方法には原理的な差はない。例えば絶対値または２乗された値による方法が行われることができる。しかしながら、平均レベル値を決定する装置が絶対値法によって動作するならば特に有効である。これは２乗された値による方法とは対照的に絶対値法によれば十分に区別されている平均レベル値、すなわち少ない許容誤差の値が非常に低いＮＦ（低い周波数）においてさえもＡ／Ｄ変換器に対する入力で得られるからである。
【００２０】
請求項６に記載されているように、しきい値装置が除算装置に先行して配置されているならば、それは０の除数を排除すると共に、第４の加算器の後段て得られる全体のレベルが安定な商を形成するためにしきい値装置があるしきい値を越えることを確実にする。換言すれば、後者の機能の意味では、しきい値装置はそれでなければ存在する非常に小さい全体的な信号レベルが商の形成中に劣化したり、不安定になることを確実に阻止する。
【００２１】
請求項７に記載されているように、フェーダ制御装置の出力とＡ／Ｄ変換器の入力との間に配置された部品がアダプタ中に統合されることは特に有効である。これはそのようなアダプタは小型で、それ故容易にフェーダ制御装置の直ぐ近くに配置されることが可能であるからである。アダプタがフェーダ制御装置の直ぐ近くに配置され、フェーダがオーディオ信号のデジタル処理のための装置から大きい距離に位置される場合、それらの接続のために３つのガイドチャンネルが必要であるに過ぎない。
【００２２】
【発明の実施の形態】
以下添付図面を参照にして説明する。
図１に示されたブロック図はオーディオ信号源１０を示し、それは利用可能な２つのオーディオ信号チャンネルＴＫＬ  ，ＴＫＲ  を有している。これらのオーディオ信号チャンネルＴＫは２つのオーディオ出力信号Ｌ，Ｒを含み、それらのチャンネルはこの実施の形態においてはステレオ的に送信された音響事象の２つの信号を伝送する。フェーダ制御装置１１は電圧分圧器の原理で動作し、オーディオ信号源１０に接続されている。２つのオーディオ信号チャンネルＴＫはこのフェーダ制御装置１１に導かれている。前に詳細に説明したようにオペレータによって選択されたフェーダ制御装置１１の調整に応じて、オーディオ出力信号Ｌ，Ｒは２つの聴取区域、すなわち前方および後方聴取区域に分割され、各出力チャンネルＡＫ１−４  に導かれる。
【００２３】
この実施の形態において、オーディオ信号源１０およびフェーダ制御装置１１はこれらを囲む１点鎖線で示されるようにユニット化されている。そのような装置は例えばカーラジオで知られているものと同様である。
【００２４】
オーディオ信号ＬＶ  およびＲＶ  、すなわち前方聴取区域に与えられるオーディオ信号は出力チャンネルＡＫ１  ，ＡＫ２  を通って第１の加算器１２．１に供給され、この第１の加算器１２．１はこれらのオーディオ信号ＬＶ  およびＲＶ  から複合信号Ｓｕｍ  １を形成する。
【００２５】
オーディオ信号ＬＶ  ，ＬＨ  またはＲＶ  ，ＲＨ  は異なる聴取区域に導かれるが、等しいオーディオ信号チャンネルＴＫＬ  ，ＴＫＲ  から発生し、オーディオチャンネルのような各出力チャンネルＡＫ１−４  によって各加算器１２．２，１２．３の１つに導かれる。この例の場合、右のオーディオチャンネルＴＫＲ  から発生したオーディオ信号ＲＶ／Ｈ  は加算器１２．２に導かれ、左のオーディオチャンネルＴＫＬ  から発生したオーディオ信号ＬＶ／Ｈ  は加算器１２．３に導かれる。
【００２６】
各加算器チャンネルＳＫ１−３  の１つはそれぞれ加算器１２．１〜１２．３に接続され、そこに加算器１２．１〜１２．３中で形成された複合信号Ｓｕｍ  １〜３  が供給される。各加算器チャンネルＳＫ２／３  は複合信号Ｓｕｍ２／３  を得ることができ、それは各オーディオ出力信号Ｌ，Ｒに対応する。
【００２７】
複合信号Ｓｕｍ  １〜３  はさらに装置１３において処理されて（オーディオ）信号のデジタル処理が行われる。そのために加算器１２．１〜１２．３から来る各信号チャンネルＳＫ１−３  はＡ／Ｄ変換器１４．１〜１４．３に送られる。Ａ／Ｄ変換器１４．２，１４．３はオーディオ信号に適したＡ／Ｄ変換器であり、１６ビット以上の分解能を有する必要がある。そのような高い分解能はＡ／Ｄ変換器１４．１では必要がない。むしろ、このＡ／Ｄ変換器１４．１は８ビット以上の分解能があれば十分である。この実施例の場合、“コーディック１”と呼ばれる変換器が使用され、それはそれぞれ１６ビットの分解能を有するオーディオ信号に適したＡ／Ｄ変換器１４．２，１４．３に加えて、単なる付属品として１２ビットの分解能を有するＡ／Ｄ変換器を有し、それがＡ／Ｄ変換器１４．１として使用された。
【００２８】
各変換器１４に後続してＤＣ電圧を排除するためにハイパスフィルタ１５が設けられている。
複合信号Ｓｕｍ  ２／３が各ハイパスフィルタ１５を通過した後、各信号チャンネルＳＫ２／３  は３つの並列の加算器チャンネルＳＫ２．１−３  ，ＳＫ３．１−３  に分割される。参照符号ＳＫ２．２／３  ，ＳＫ３．２／３  を有する各加算器チャンネルは乗算器Ｍ  １〜４  を有している。
詳しく説明すると、加算器チャンネルＳＫ２  ，ＳＫ３  が各加算器チャンネルＳＫ２．２／３  ，ＳＫ３．２／３  に分割される前に、これらのチャンネルに送られる信号は別のチャンネル形式のデジタル処理を受けることを指摘しておく。これは図１では破線のブロック１６で示されている。
【００２９】
信号チャンネルＳＫ２．１  またはＳＫ３．１  は第４の加算器１２．４に導かれる。この第４の加算器１２．４において２つの複合信号Ｓｕｍ２／３  から形成された複合信号Ｓｕｍ  ４は加算器１２．４に接続されている加算器チャンネルＳＫ４  に供給される。
【００３０】
各加算器チャンネルＳＫ１  ，ＳＫ４  は平均レベル値を決定する装置１７を含み、それはそれぞれハイパスフィルタ１５．１と第４の加算器１２．４とに後続して配置されている。この装置１７は絶対値法によって平均レベルを決定する。
【００３１】
各装置１７に後続して平滑化装置１８が配置され、決定された平均レベル値をアルゴリズムにしたがって変換する。ここで説明した構成は一例に過ぎない。このアルゴリズムにしたがって平均レベル値の変換を行う主な基準は次の通りである。
【００３２】
ｉ（ｔ）＝装置１７の計算にしたがった平均レベル値
ｏ（ｔ）＝平滑化装置１８中の計算を実行した後の平滑化されたレベル
ｔｓ      ＝サンプリング時間＝１サンプリング周波数
ｔａ      ＝アタック時間
ｔｒ      ＝リリース時間
ｂａ      ＝ｅｘｐ（−ｔｓ／ｔａ）
ｂｒ      ＝ｅｘｐ（−ｔｓ／ｔｒ）
平滑化関数ｏ（ｔ−ｔｓ  ）は、
ｏ（ｔ＋ｔｓ  ）＝
ｉ（ｔ）＋［ｂａ  ＋ｂｒ  ］［１／２］［ｏ（ｔ）−ｉ（ｔ）］＋
［ｂａ  −ｂｒ  ］［１／２］｜［ｏ（ｔ）−ｉ（ｔ）］｜
装置１８の後において、平滑にされた複合信号Ｓｕｍ１’，Ｓｕｍ４’はしきい値装置１９に送られる。このしきい値装置１９は、複合信号Ｓｕｍ４’が０に等しいとき、複合信号Ｓｕｍ１’だけがさらに処理されるように設計される。これはしきい値装置１９に後続する除算装置２０が０で除算することを防止する。さらに、しきい値装置１９の設計は、全体のＮＦレベルに対応する存在する平滑にされた複合信号Ｓｕｍ４’があるしきい値を越えてしきい値装置１９に後続する除算装置２０における長期間安定な商Ｑを形成することを確実にする。Ｓｕｍ４’をＳｕｍ１’で除算することによって除算装置２０は商Ｑを決定し、それは除算装置２０に後続する計算装置２１に供給される。必要ならば別の平滑化装置１８’  が除算装置２０と計算装置２１との間に配置されることもできる。
【００３３】
２つの係数ＦＶ  ，ＦＨ  は別のアルゴリズムによって得られたそれぞれの商Ｑから計算装置２１によって決定される。この係数決定は例えば０．５以上の商Ｑに対しては、
ＦＶ  ＝１，およびＦＨ  ＝２（１−Ｑ）であり、
０．５以より小さい商Ｑに対しては、
ＦＶ  ＝２Ｑ，およびＦＨ  ＝１である。
【００３４】
ここに説明した実施の形態において、計算装置２１によって決定されたこれらの各係数ＦＶ  ，ＦＨ  はデータライン２２によって乗算器Ｍ１  〜  ４で利用される。その場合には後方聴取区域に分配される信号を表す係数ＦＨ  は乗算器Ｍ１／３  に送られ、前方聴取区域に分配される信号を表す係数ＦＶ  は乗算器Ｍ２／４  に送られ、対応する乗算の後、オーディオ信号ＬＶ  ，ＲＶ  ，ＬＨ  ，ＲＨ  はフェーダ制御装置１１によるそれらの分配率と共に乗算器Ｍ１  〜  ４の出力においてオーディオ信号ｄＬＨ／Ｖ  ，ｄＲＨ／Ｖ  として出力される。
【００３５】
１点鎖線はフェーダ制御装置１１と装置１３との間に配置された部品がアダプタ２３として組合わされていることを示している。そのようなアダプタ２３は比較的小型であるからフェーダ制御装置１１の付近に容易に配置することができる。オーディオ信号のデジタル処理を行うための装置１３はしばしばフェーダ制御装置１１から非常に離れた場所に配置されなければならないから、フェーダ制御装置１１の出力２４に接続されたアダプタ２３が使用されるならば、離れた位置に配置されているオーディオ信号のデジタル処理のための装置１３の入力２６にアダプタ２３の出力２５から３個の信号チャンネルを導くことが必要であるに過ぎないことを図１は明瞭に示している。
【００３６】
図２に示された装置は、出力チャンネルＡＫ１／２  の代りに出力チャンネルＡＫ３／４  が第１の加算器１２．１に導かれる点で図１に示されたものと相違している。さらに、第１の加算器１２．１に導かれる出力チャンネルＡＫ３  ，ＡＫ４  が平均レベル値を決定する装置１７を含んでいる。この実施例ではこれらの装置１７は整流器として構成されている。第１の加算器１２．１の前に配置された整流器として構成された装置１７は、位相が反対のオーディオ信号ＬＶ  ，ＲＶ  により第１の加算器１２．１中で生成される和信号Ｓｕｍ１  がゼロに等しくないことを確実にする。さらに出力チャンネルＡＫ３  ，ＡＫ４  におけるオーディオ信号ＬＶ  ，ＲＶ  の整流は、異なった音響チャンネルＴＫから来る完全に位相が反対でないオーディオ信号ＬＶ  ，ＲＶ  の加算中に生じる可能性のある位相の問題を消去する方向で作用する。後者は本発明によれば、第１の加算器１２．１における平均された（個々の）レベル値の加算がフェーダ制御装置１１の後方の分布を再構成するのに十分な発生源を有する。装置１７が第１の加算器１２．１の前に配置されているにもかかわらず、第４の加算器１２．４による対称性は乱されない。それは第４の加算器１２．４および装置１７が各信号チャンネルに先行しているからである。各平滑化装置１８はそれぞれ加算器１２．１／４の後方の信号通路中に接続されている。平滑化装置１８を加算器１２．１の直ぐ後に配置することは強制的なものではない。むしろ、各平滑化装置１８は別の形態（図示せず）では例えば装置１７と各加算器１２．１／４との間に配置することもできる。
【００３７】
図３に示された構成の実施例では、フェーダ制御装置１１で調整された分配率の再構成は純粋にアナログ的に実現される。そのために２つの信号チャンネルＳＫ２．１  ，ＳＫ３．１  は第２および第３の加算器１２．２／３の後方で、しかしオーディオ信号のデジタル処理のための装置１３の前で各信号チャンネルＳＫ２／３  から分岐され、第４の加算器１２．４’  へ導かれる。すでに図２を参照にして説明したように、各出力チャンネルＡＫ３／４  は装置１７として整流装置を有し、整流装置１７はまた第４の加算器１２．４へ導かれる各チャンネルに接続されている。
【００３８】
２つの加算器１２．１，１２．４’  から出る信号の平滑化は平滑化装置１８’’において行われる。その後、平滑化された信号はしきい値装置１９’  に供給される。商Ｑ’  が決定される除算装置２０’  はしきい値装置１９’  に接続されている。除算装置２０’  に後続する計算装置２１’  は、この商Ｑ’  から２つの係数ＦＶ  ，ＦＨ  を決定し、それらはデータライン２２’  を通ってＡ／Ｄ変換器１４．１’  に供給される。変換された係数ＦＶ  ，ＦＨ  は前述のものと同様に対応する乗算器Ｍ  １〜４  に供給され、異なった聴取区域に対応した分布を有するデジタル化されたオーディオ信号が乗算器Ｍ  １〜４  の出力から得られる。
【００３９】
図３に示されるような２個のＡ／Ｄ変換器１４．１’  を使用する代りに、１個のＡ／Ｄ変換器１４．１’  だけが使用され、除算装置２０’  と計算装置２１’  との間に配置されることもできる（図３で破線で示されている）。
これに関連して、図示されていないが、図３によるアナログ係数ＦＶ  ，ＦＨ  はアナログ調整装置に供給され、このアナログ調整装置がＡ／Ｄ変換器の後方で信号路に接続されることができる。その場合には乗算器Ｍ  １〜４  は省略することができる。
【図面の簡単な説明】
【図１】本発明による装置のブロック図。
【図２】本発明による別の実施形態の装置のブロック図。
【図３】本発明による別の実施形態の装置のブロック図。
【図１】
0003586012.tif 000002
【図２】
0003586012.tif 000003
【図３】
0003586012.tif 000004